(57)【要約】【課題】停電発生時においても専用の外部電源や回線からの電圧供給を必要とすることなく動作可能であり、通信網を介して情報を取得可能な通信装置を提供する。【解決手段】これによると本発明の通信装置は、通信部、電源部、及びメモリスロットを備えている。さらに、携帯電話に対して着脱可能な蓄電池である携帯電話用蓄電池を接続する蓄電池スロットを備えている。蓄電池スロットに接続された携帯電話用蓄電池より供給される電源電圧は、代替電源部に送られた後、代替電源部から通信装置の各部に対して供給される。併せて停電検出時には、情報取得部が通信網に接続された所定の情報配信サーバから所定の情報、例えば災害情報を取得する。取得された情報は情報記録部により、メモリスロットに接続されているメモリカードに記録される。【選択図】図１
2008288800.tif 000002
【特許請求の範囲】
【請求項１】
通信網に接続して通信を行う通信手段と、
商用電源より電力の供給を受けて電源電圧を出力する電源部と、
外部記録媒体を接続する外部記録媒体接続手段と、
を備えた通信装置であって、
携帯電話用蓄電池を接続する蓄電池接続手段と、
前記蓄電池接続手段に携帯電話用蓄電池が接続されたことを検知する接続検知手段と、
前記蓄電池接続手段に接続された携帯電話用蓄電池を用いて電源電圧を出力する代替電源部と、
前記電源部と前記代替電源部とのいずれを用いて前記通信装置に対する電源電圧の供給を行うかを切り替える電源切替手段と、
通信網に接続された情報処理装置から所定の情報を前記通信手段を用いて取得する情報取得手段と、
前記情報取得手段により取得した情報を前記外部記録媒体接続手段により接続された外部記録媒体に記録する情報記録手段と、
を備え、
前記接続検知手段により前記携帯電話用蓄電池の接続を検知した際に、前記電源切替手段による前記代替電源部への切り替え、前記情報取得手段による所定の情報の取得、及び前記情報記録手段による外部記録媒体への情報の記録を行うこと
を特徴とする通信装置。
【請求項２】
前記電源部により出力される電源電圧の大きさを監視する停電検出手段を備え、
前記電源部により出力される電源電圧が所定値を上回る状態から下回る状態に変化したことが前記停電検出手段により検出された場合に、前記電源切替手段による前記代替電源部への切り替え、前記情報取得手段による所定の情報の取得、及び前記情報記録手段による外部記録媒体への情報の記録を行うこと
を特徴とする請求項１に記載の通信装置。
【請求項３】
前記情報記録手段が、前記情報取得手段により取得された所定の情報をＨＴＭＬ形式の情報に変換して前記外部記録媒体に記録すること
を特徴とする請求項１または請求項２に記載の通信装置。
【請求項４】
前記蓄電池接続手段が、複数種類の携帯電話の仕様に対応した複数の蓄電池接続用スロットを備えていること
を特徴とする請求項１〜請求項３のいずれかに記載の通信装置。
【請求項５】
前記情報取得手段が取得する所定の情報が、災害発生状況を示す災害情報であること
を特徴とする請求項１〜請求項４のいずれかに記載の通信装置。
【請求項６】
前記通信装置が、複数の通信網間における通信の中継を行う通信中継手段を備えたルータ装置であること
を特徴とする請求項１〜請求項５のいずれかに記載の通信装置。
【請求項７】
前記通信装置が、通信方式の異なる複数の通信網を接続して通信信号の変換を行うことにより通信の中継を行う信号変換手段を備えた回線終端装置であること
を特徴とする請求項１〜請求項６のいずれかに記載の通信装置。
【発明の詳細な説明】
【技術分野】
【０００１】
本発明は、複数の通信網に接続されて通信の中継を行う通信装置に関するものであり、特に停電発生時においても動作可能な通信装置に関する。
【背景技術】
【０００２】
近年、インターネット等の情報通信網の普及により、ルータやスイッチングハブ、または回線終端装置といった、情報網に接続するための通信装置が広く普及している。これらの通信装置は通常、商用電源から供給される電力によって動作する。従って停電が発生した場合、仮に通信装置に接続されているノートパソコン等の情報処理装置のバッテリが残っていたとしても、通信装置を経由した通信が行えない状態となる。
【０００３】
このため例えば、地震等の災害により停電が発生した場合に、ユーザはインターネット等を通じて災害情報等を得ることができないという問題があった。例えば大規模な工場等であれば、通信装置に電力を供給するための自家発電機等を備えているものもある。この場合は、停電時でも外部との通信が可能である。しかしこのような装置は費用面や設備面を考慮すると、一般家庭や小規模オフィス等においては導入するのが難しい。
【０００４】
上記に関連して特許文献１には、携帯端末を利用した緊急通報システムであって、子機中継器内または親局中継器内に停電対策用の予備蓄電池を配置し、コンセントから商用電源が供給されないときは予備蓄電池の電力を使用して機器の動作を継続させることを特徴とする緊急通報システムが開示されている。
【０００５】
また上記に関連して特許文献２には、電力の供給源を商用電源からＩＳＤＮ回線に切り換える電源供給手段を有した通信装置が開示されている。この通信装置は、停電時にバックアップ電源を使用する事なく、ＩＳＤＮ回線から給電される電圧を電源供給手段を用いてＩＳＤＮインタフェース部に与えることを特徴としている。
【特許文献１】特開２００２−２０９０２６号公報
【特許文献２】特開平０６−１３３０８３号公報
【発明の開示】
【発明が解決しようとする課題】
【０００６】
しかしながら特許文献１の緊急通報システムは、新たに装置内部に専用の予備蓄電池を増設する必要があるため、装置サイズ及びコストの増加が発生するという問題があった。また、専用の予備蓄電池を常に使用できる状態に充電しておく必要があるため、消費電力の増加及びバッテリ管理のためのユーザ作業の増加が発生するという問題もあった。
【０００７】
また特許文献２の通信装置は、ＩＳＤＮ回線から給電される電圧を停電時に利用するが、このような電圧の給電が行われる回線は一部種別のみに限られる。従って例えば、光ファイバーを用いたＦＴＴＨ（Ｆｉｂｅｒ  Ｔｏ  Ｔｈｅ  Ｈｏｍｅ）等の回線では実施することが出来ないという問題があった。
【０００８】
本発明は、上記の問題を鑑みてなされたものであり、停電発生時においても自家発電機や専用の予備蓄電池、或いは回線からの電圧供給を必要とすることなく動作可能であり、また停電時において所定の情報を外部より取得可能な通信装置を提供することにある。
【課題を解決するための手段】
【０００９】
上記目的を達成するために本発明の通信装置は、通信網に接続して通信を行う通信手段と、商用電源より電力の供給を受けて電源電圧を出力する電源部と、外部記録媒体を接続する外部記録媒体接続手段とを備えた通信装置であって、携帯電話用蓄電池を接続する蓄電池接続手段と、前記蓄電池接続手段に携帯電話用蓄電池が接続されたことを検知する接続検知手段と、前記蓄電池接続手段に接続された携帯電話用蓄電池を用いて電源電圧を出力する代替電源部と、前記電源部と前記代替電源部とのいずれを用いて前記通信装置に対する電源電圧の供給を行うかを切り替える電源切替手段と、通信網に接続された情報処理装置から所定の情報を前記通信手段を用いて取得する情報取得手段と、前記情報取得手段により取得した情報を前記外部記録媒体接続手段により接続された外部記録媒体に記録する情報記録手段とを備え、前記接続検知手段により前記携帯電話用蓄電池の接続を検知した際に、前記電源切替手段による前記代替電源部への切り替え、前記情報取得手段による所定の情報の取得、及び前記情報記録手段による外部記録媒体への情報の記録を行うことを特徴としている。
【００１０】
これによると本発明の通信装置は、通信網を利用して通信を行う通信部（＝通信手段）、商用電源より供給されたＡＣ電力をＤＣ電圧（＝電源電圧）に変換して通信装置の各部に供給する電源部、携帯電話に対して着脱可能な蓄電池である携帯電話用蓄電池を接続する蓄電池スロット（＝蓄電池接続手段）を備えている。蓄電池スロットに接続された携帯電話用蓄電池より供給される電源電圧は、代替電源部に送られた後、代替電源部から通信装置の各部に対して供給される。
【００１１】
また、蓄電池スロットに携帯電話用蓄電池が接続されたことを検知する接続検知部（＝接続検知手段）と、電源部と代替電源部との両方に接続され、どちらを電源電圧の供給源として用いるかを選択的に切り替え可能な電源切替部（＝電源切替手段）とを備えている。またメモリカード等の外部記録媒体を接続するメモリスロット（＝外部記録媒体接続手段）を備えている。
【００１２】
また、マイクロプロセッサ等の演算処理装置上でプログラムを実行することにより実現される機能部として、情報取得部（＝情報取得手段）及び情報記録部（＝情報記録手段）を備えている。接続検知部により携帯電話用蓄電池の接続が検知された際に、電源切替部により電源電圧の供給源を代替電源部に切り替えるとともに、情報取得部により通信網に接続された所定の情報配信サーバ（＝情報処理装置）から所定の情報を取得する。取得された情報は情報記録部により、メモリスロットに接続されているメモリカードに記録される。
【００１３】
また、上記目的を達成するために本発明の通信装置は、前記電源部により出力される電源電圧の大きさを監視する停電検出手段を備え、前記電源部により出力される電源電圧が所定値を上回る状態から下回る状態に変化したことが前記停電検出手段により検出された場合に、前記電源切替手段による前記代替電源部への切り替え、前記情報取得手段による所定の情報の取得、及び前記情報記録手段による外部記録媒体への情報の記録を行うことを特徴としている。
【００１４】
これによると本発明の通信装置は、前記電源部が出力する電源電圧の大きさを監視する停電検出部（＝停電検出手段）を備えている。停電検出部により電源部が供給する電源電圧が所定値を下回ることが検出された場合、電源切替部により電源電圧の供給源を代替電源部に切り替える。そして情報取得部により通信網に接続された情報配信サーバより所定の情報を取得する。さらに情報記録部により、取得した情報をメモリカードに記録する。
【００１５】
また、上記目的を達成するために本発明の通信装置は、前記情報記録手段が、前記情報取得手段により取得された所定の情報をＨＴＭＬ形式の情報に変換して前記外部記録媒体に記録することを特徴としている。
【００１６】
これによると、情報取得部により取得された所定の情報を情報記録部がメモリカードに記録する際に、情報記録部は前記情報をＨＴＭＬデータ（＝ＨＴＭＬ形式の情報）に変換する。そして変換により得られたＨＴＭＬデータをメモリカードに記録する。
【００１７】
また、上記目的を達成するために本発明の通信装置は、前記蓄電池接続手段が、複数種類の携帯電話の仕様に対応した複数の蓄電池接続用スロットを備えていることを特徴としている。
【００１８】
これによると、本発明の通信装置は複数種類の仕様の蓄電池スロットを備えている。携帯電話は通常、その製造業者や通信業者によって仕様が異なる。従って携帯電話に用いられる蓄電池の仕様も複数種類ある。このような仕様の異なる蓄電池に対応するため、それぞれの仕様に対応した複数の蓄電池スロットが備えられている。
【００１９】
また、上記目的を達成するために本発明の通信装置は、前記情報取得手段が取得する所定の情報が、災害発生状況を示す災害情報であることを特徴としている。
【００２０】
これによると、情報取得部が情報配信サーバより取得する情報として、地震や停電などの大規模災害の発生状況を示す災害情報を取得する。なお、どの情報配信サーバからいかなる種別の災害情報を取得するかについては、あらかじめユーザが指定可能である。
【００２１】
また、上記目的を達成するために本発明の通信装置は、前記通信装置が、複数の通信網間における通信の中継を行う通信中継手段を備えたルータ装置であることを特徴としている。
【００２２】
これによると、本発明の通信装置は、ネットワークアドレス番号の異なる複数のＩＰ通信網に接続され、各ＩＰ通信網間で行われる通信の中継処理を行うルーティング機能を備えた制御部（＝通信中継手段）を備えたルータ装置としての機能を備えている。
【００２３】
また、上記目的を達成するために本発明の通信装置は、前記通信装置が、通信方式の異なる複数の通信網を接続して通信信号の変換を行うことにより通信の中継を行う信号変換手段を備えた回線終端装置であることを特徴としている。
【００２４】
これによると、本発明の通信装置は、例えばＦＴＴＨとイーサネット（登録商標）のように通信方式が異なる二つの通信網に接続される回線終端装置としての機能を備えている。このため、各通信網から受信した通信信号を相互に変換する処理を行うことにより、通信方式の異なる通信網間での通信の中継を行うプロトコル変換機能を備えた制御部（＝信号変換手段）を備えている。
【発明の効果】
【００２５】
本発明によれば、携帯電話の蓄電池から電源電圧の供給を受けるための蓄電池スロット及び代替電源部を備えている。このため、停電時に自家発電機や専用の予備蓄電池等を必要とすることなく動作可能である。従ってユーザは特別な停電対策を必要とすることなく、一般家庭に広く普及している携帯電話の蓄電池を流用することのみで通信装置を復旧させることができるため、利便性が向上する。
【００２６】
また本発明によれば、蓄電池スロットに携帯電話用蓄電池が接続されて電源電圧の供給が開始された際に、外部の情報配信サーバから所定の情報、例えばニュース速報等を取得し、メモリカードに記録する。ユーザは情報が記録されたメモリカードを携帯電話に接続することにより、取得した情報の閲覧が可能である。このため例えば、停電によりパソコン等の情報処理処置が使用できない場合や、携帯電話の無線回線が混線していたり無線基地局が利用不可能である場合であっても、携帯電話及び携帯電話用蓄電池の二つのみで外部から情報を取得して閲覧できる。
【００２７】
また本発明によれば、停電検出部により電源部が供給する電源電圧が所定値を下回ることが検出された場合に、電源切替部が電源電圧の供給源を代替電源部に切り替える。従って停電発生時において、ユーザ操作を必要とすることなく電源部から代替電源部への切り替えを行うことが可能である。これにより、停電が発生していない平常時において蓄電池スロットに携帯電話用蓄電池を接続されたとしても、停電が発生するまで携帯電話用蓄電池は使用されないため、蓄電池の電源電圧を有効に活用することができる。
【００２８】
また本発明によれば、情報記録部は取得情報をＨＴＭＬデータに変換してからメモリカードに記録する。このため、取得情報が携帯電話で閲覧不可能なデータ形式であってとしても、携帯電話が一般的に備えるブラウザアプリケーションを利用して変換後データを閲覧可能であるため、汎用性が向上する。
【００２９】
また本発明によれば、仕様の異なる複数の携帯電話用蓄電池に対応するため、広く普及している携帯電話の各仕様に対応した複数の蓄電池スロットが備えている。このため、ユーザが所持する携帯電話の仕様に関わらず、確実に蓄電池を通信装置に接続できるため、汎用性が向上する。
【００３０】
また本発明によれば、情報取得部が情報配信サーバより取得する情報として、地震や停電などの大規模災害の発生状況を示す災害情報を取得する。このため、地震等の大規模災害により停電が発生した場合に、ユーザは確実かつ迅速に災害に関する情報を知ることができる。
【００３１】
また本発明によれば、通信装置がルーティング機能等を備えたルータ装置として動作する。このため停電が発生した場合であっても、通信装置が設置されたＬＡＮ（Ｌｏｃａｌ  Ａｒｅａ  Ｎｅｔｗｏｒｋ）内の通信中継を確実に行うことが可能である。
【００３２】
また本発明によれば、通信装置がプロトコル変換機能を備えた回線終端装置として動作する。従って例えば、建築物単位の小規模な停電発生時においても、広域通信網を利用した外部との通信を確実に行うことが可能である。
【発明を実施するための最良の形態】
【００３３】
以下に本発明の実施形態を、図面を参照しながら説明する。なお、ここで示す実施形態は一例であり、本発明はここに示す実施形態に限定されるものではない。
【００３４】
［実施の形態１］
〈１−１．通信システムの構成について〉
図１は、本発明の第一の実施形態に係る通信システムの構成を示すブロック図である。通信システムは少なくとも、ルータ１（＝通信装置）、回線終端装置２、有線ＬＡＮ３、パソコン４、広域通信網５、情報配信サーバ６を含むように構成されている。
【００３５】
ルータ１は、複数のＩＰ通信網を相互接続するための通信網中継装置である。具体的には、ＯＳＩ（Ｏｐｅｎ  Ｓｙｓｔｅｍｓ  Ｉｎｔｅｒｃｏｎｎｅｃｔｉｏｎ）参照モデルでいうネットワーク層（第３層）やトランスポート層（第４層）の一部のプロトコルを用いて転送を行なう。本実施の形態においては、後述する回線終端装置２に接続される通信網とＬＡＮ３との二つのＩＰ通信網を相互接続する役割を持つ。なおルータ１は少なくとも、制御部１１、メモリ１２、通信部１３、蓄電池スロット１４、電源部１５、代替電源部１６、電源切替部１７、及び外部メモリスロット１９を含むように構成されている。なお、これらの詳細については後述する。
【００３６】
回線終端装置２は、後述する広域通信網５において回線の終端に設置される通信装置である。回線終端装置２は種別の異なる通信網、例えばＦＴＴＨと家庭内ＬＡＮとを接続し、この二つの通信網で使用される種別の異なる信号を交互に変換する。これによりユーザは、回線終端装置２に通信装置、例えばルータ１やパソコン４等を接続することにより、広域通信網５を使用した通信処理を行うことが可能である。
【００３７】
有線ＬＡＮ３は、ルータ１及びパソコン４が有線接続されたローカルネットワークである。前記の各装置は有線ＬＡＮ３に接続されることにより、相互に通信が可能となっている。なお、有線ＬＡＮ３を構成する装置間を接続する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）などがあげられる。
【００３８】
パソコン４は、主に個人単位で使用される情報処理装置である。キーボードやマウス等の入力機器と、ディスプレイやプリンタ等の出力機器とをパソコン４と組み合わせて使用することにより、各種情報処理を行うことが可能である。また有線ＬＡＮ３と接続することにより、他装置との間での情報通信処理、例えばインターネットの利用等を行うことが可能である。
【００３９】
広域通信網５は、例えばＦＴＴＨやＡＤＳＬ（Ａｓｙｍｍｅｔｒｉｃ  Ｄｉｇｉｔａｌ  Ｓｕｂｓｃｒｉｂｅｒ  Ｌｉｎｅ）などを用いた通信回線である。また或いは、ＰＳＴＮ網（Ｐｕｂｌｉｃ  Ｓｗｉｔｃｈｅｄ  Ｔｅｌｅｐｈｏｎｅ  Ｎｅｔｗｏｒｋｓ：加入者電話回線）を用いる形態であってもよい。
【００４０】
情報配信サーバ６は、地震等の災害発生時において、非常災害時用の特別情報（＝災害情報）を広域通信網を利用して配信する。配信された災害情報は、広域通信網を通じてパソコン４等の通信端末により受信され、通信端末の利用者による閲覧される。
【００４１】
〈１−２．ルータの内部構成について〉
図２は、本発明の第一の実施形態に係るルータ１の内部を示すブロック図である。ルータ１は少なくとも、制御部１１、メモリ１２、通信部１３、蓄電池スロット１４、電源部１５、代替電源部１６、電源切替部１７、及びメモリスロット１９を含むように構成されている。なお図中の実線矢印が指示信号の流れを、破線矢印が電力の流れを示している。
【００４２】
制御部１１は、ルータ１の各部を制御することにより通信中継処理（異なるＩＰ通信網間での通信パケットのルーティング処理等）を統括制御するための中央処理装置である。また制御部１１は、制御部１１が備える演算処理装置上でプログラムを実行することにより実現される機能部として、災害情報取得部１１ａ（＝情報取得手段）、災害情報記録部１１ｂ（＝情報記録手段）、及び経路情報制御部１１ｃを備えている。
【００４３】
災害情報取得部は１１ａは、後述するにより蓄電池スロット１４が備える挿入検出部により携帯電話用蓄電池９２の接続が検知された際に、後述する通信部１３を用いて情報配信サーバ６より災害情報を取得する。なお、取得した災害情報は、次に説明する災害情報記録部１１ｂに与えられる。
【００４４】
災害情報記録部１１ｂは、災害情報取得部は１１ａより取得された災害情報を、後述するメモリスロット１９に挿入されて接続された外部記録媒体、例えばＳＤカードメモリ９３に記録する。また災害情報記録部１１ｂは、取得された災害情報を、携帯電話（不図示）に内蔵されるブラウザアプリケーションで閲覧可能なＨＴＭＬ形式のデータに変換して記録する機能も備えている。なお、変換に失敗した場合は、与えられた災害情報をそのまま外部記録媒体に記録することが望ましい。
【００４５】
経路情報制御部１１ｃは、後述するルーティング処理部１３ｂを用いて、ネットワークアドレスが異なるＩＰ通信網での通信信号の中継処理（＝ルーティング処理）を行う。具体的には例えば、ＲＩＰ（Routing Information Protocol)やＯＳＰＦ（Open Shortest Path First）等のルーティングプロトコルを用いてルーティング処理を行う。また経路情報制御部１１ｃは、ルーティング処理を行うための経路情報等を含むルーティングテーブルを保持している。
【００４６】
メモリ１２は、ルータ１が保持する各種データを一時的に記憶する媒体であり、例えば書込可能なＲＡＭ（Ｒａｎｄｏｍ  Ａｃｃｅｓｓ  Ｍｅｍｏｒｙ）等により構成されている。メモリ１２は制御部１１によって各種通信処理が行われる際の処理データや、接続されている各通信網に関する網管理情報等を一時的に記憶しておくためのバッファメモリとしての役割を持つ。
【００４７】
通信部１３は、ルータ１を複数の有線ＬＡＮ３に接続して通信を中継するためのインタフェースである。通信部１３は少なくとも、回線接続部１３ａ及びルーティング処理部１３ｂを含むように構成されている。回線接続部１３ａは、１００ＢＡＳＥ−ＴＸ等の通信規格に準拠した複数のＬＡＮ端子である。回線接続部１３ａの一端はＬＡＮケーブルによりＩＰ通信網に接続される。そしてもう一端がルーティング処理部１３ｂに接続される。
【００４８】
ルーティング処理部１３ｂは複数の回線接続部１３ａに接続されることにより、回線接続部１３ａより入力した通信信号を他の回線接続部１３ａへ出力する。この際、入力側と出力側のＩＰ通信網のネットワークアドレスが異なる場合に、経路情報制御部１１ｃからの指示により出力先の回線接続部１３ａを決定するルーティング処理を行う。
【００４９】
蓄電池スロット１４は、携帯電話用蓄電池９２を接続して電力の供給を受けるための接続インタフェースである。蓄電池スロット１４は、図示しないが内部に、携帯電話用蓄電池９２が接続されたことを検知する挿入検出部（＝接続検知手段）を備えている。ユーザは携帯電話（不図示）が備える携帯電話用蓄電池９２を取り外して蓄電池スロット１４に取り付けることにより、ルータ１に対する電力供給を行うことが可能である。
【００５０】
なお、携帯電話用蓄電池９２の仕様は携帯電話用蓄電池９２が取り付けられる携帯電話の仕様により異なる可能性がある。このため蓄電池スロット１４は、各形態電話の蓄電池の仕様に対応する複数のスロットを備えている。
【００５１】
電源部１５は、外部の商用電源９１よりＡＣ電力を取り込んでＤＣ電圧（＝電源電圧）に変換し、ＤＣ電圧をルータ１の各装置部に供給する。代替電源部１６は、蓄電池スロット１４に接続された携帯電話用蓄電池９２より供給されるＤＣ電圧を、ルータ１の各装置部に供給するためのものである。
【００５２】
電源切替部１７は、ルータ１の各装置部に対するＤＣ電圧の供給源として電源部１５と代替電源部１６とのいずれを使用するかを選択して切り替えるためのものである。具体的には例えば、電源切替部１７は図８に示すように、電源部１５と代替電源部１６とに接続された電気回路から構成されている。
【００５３】
図８に示す例では、蓄電池スロット１４が備える挿入検出部から出力された挿入検出信号が、挿入検出スイッチにより受信される。これにより挿入検出スイッチがＯＮとなり、回路の切断を行う。この結果、電源部１５からの電源供給ラインが遮断される。そして代替電源部１６、つまり携帯電話用蓄電池９２からのみ電源が供給される状態となる。
【００５４】
メモリスロット１９は、携帯電話が情報の記録に利用可能なＳＤメモリカード９３等の外部記録媒体を挿入して接続し、情報の記録を行うための接続インタフェースである。メモリスロット１９に接続されたＳＤメモリカード９３には、災害情報記録部１１ｂにより得られた災害情報や、災害情報を変換して作成されたＨＴＭＬデータを記録することが可能である。
【００５５】
〈１−３．蓄電池使用時処理について〉
ここで、本発明の第一の実施形態におけるルータ１の蓄電池使用時処理を、図１〜図２のブロック図と、図３のフロー図とを用いながら説明する。
【００５６】
図３に示す処理フローは、ルータ１の電源が起動した際に開始される。本処理の開始後、蓄電池スロット１４はステップＳ１１０において、携帯電話用蓄電池９２の接続状態の確認を行う。ステップＳ１１０において携帯電話用蓄電池９２の接続が検知されなかった場合、再びステップＳ１１０に移行し、継続して接続状態の確認を行う。
【００５７】
逆に携帯電話用蓄電池９２の接続が検知された場合、蓄電池スロット１４は制御部１１及び電源切替部１７に対して接続検知信号を出力する。接続検知信号を受けた電源切替部１７はステップＳ１２０において、内部の電気回路に備えられたスイッチのＯＮ／ＯＦＦを切り替えることにより、使用する電源を電源部１５から代替電源部１６に切り替える。この結果、代替電源部１６及び携帯電話用蓄電池９２により供給される電源電圧によりルータ１が動作する状態となる。
【００５８】
また接続検知信号を受けた制御部１１はステップＳ１３０において、災害情報取得部１１ａによりメモリ１２に記録されている災害情報の取得成功履歴を参照し、前回の取得成功から所定時間、例えば１０分が経過しているかどうかの判定を行う。
【００５９】
ステップＳ１３０において、前回の災害情報取得処理より所定時間が経過していないと判定された場合、後述するステップＳ１７０に移行する。逆に所定時間が経過していると判定された場合、災害情報取得部１１ａはステップＳ１４０において、災害情報等の情報を情報配信サーバ６より取得するための通信リクエストを通信部１３を用いて送信する。
【００６０】
通信部１３により送信された通信リクエストは、回線終端装置２及び広域通信網５を経由して情報配信サーバ６に送られる。なお、通信リクエストの送り先アドレス、例えば情報配信サーバ６のＩＰアドレス等は、あらかじめメモリ１２に記録されており、使用する情報配信サーバ６の種別によりユーザが変更可能であることが望ましい。
【００６１】
次に災害情報取得部１１ａはステップＳ１５０において、送信した通信リクエストに対して情報配信サーバ６から応答があり、かつ災害情報の取得に成功したかどうかの判定を行う。なお災害情報の取得に失敗する要因としては、例えば広域通信網５において通信障害が発生している場合や、情報配信サーバ６が災害情報の配信を開始していない場合等があげられる。
【００６２】
ステップＳ１５０において災害情報の取得に失敗したと判定された場合、災害情報取得部１１ａはステップＳ１４０に移行して再び災害情報の取得を試みる。逆に災害情報の取得に成功したと判定された場合、災害情報記録部１１ｂはステップＳ１６０において、取得した災害情報をメモリスロット１９に接続されたＳＤメモリカード９３に記録する。また併せて、災害情報の取得成功履歴をメモリ１２に記録する。
【００６３】
なおこの際、災害情報をＨＴＭＬ形式に変換したＨＴＭＬデータを作成し、災害情報と併せてＳＤメモリカード９３に記録する。ただしＳＤメモリカードの容量が小さい場合や、ＨＴＭＬデータへの変換が失敗した場合は、変換前の災害情報のみを記録することが望ましい。
【００６４】
次に電源切替部１７はステップＳ１７０において、携帯電話用蓄電池９２が蓄電池スロット１４から取り外されることにより、挿入検出スイッチがＯＦＦになっているかどうかの判定を行う。ステップＳ１７０において、挿入検出スイッチがＯＦＦになっていないと判定された場合、ステップＳ１３０に移行し、災害情報の取得処理を引き続き行う。逆に挿入検出スイッチがＯＦＦになっていると判定された場合、本処理を終了する。
【００６５】
次に、本発明の第二の実施形態ついて、図面を参照しつつ説明する。
［実施の形態２］
〈２−１．通信システムの構成について〉
図１は、本発明の第二の実施形態に係る通信システムの構成を示すブロック図である。なお、実施の形態１と同内容の装置部については、同一の符号を付加することにより説明を省略するものとする。実施の形態１と異なる構成として、回線終端装置８（＝通信装置）が通信システムに含まれている。またルータ１が停電検出部１８（＝停電検出手段）を備えている。また、ルータ１の制御部１１の処理内容が一部異なっている。なお、これらの詳細については後述する。
【００６６】
回線終端装置８は、実施の形態１の回線終端装置２と同機能を実現するための制御部８１、メモリ８２、通信部８３、及び電源部８５を備えている。加えて、蓄電池スロット８４、代替電源部８６、電源切替部８７、及び停電検出部８８を備えている。これにより、停電発生時においても携帯電話用蓄電池９２を用いて動作可能となっている。なお、回線終端装置８が含む各装置部の詳細については後述する。
【００６７】
〈２−２．ルータの内部構成について〉
図５は、本発明の第二の実施形態に係るルータ１の内部を示すブロック図である。なお、実施の形態１と同内容の装置部については、同一の符号を付加することにより説明を省略するものとする。実施の形態１と異なる構成として、停電検出部１８を備えている。
【００６８】
停電検出部１８は、電源部１５が出力するＤＣ電圧の出力状況を監視する。そして災害発生などの原因により商用電源からのＡＣ電力の供給が絶たれた際に、ＤＣ電圧の低下を停電検出用素子を用いて検出する。そしてＤＣ電圧が電話装置１０の動作に必要な最低動作電圧を下回る前に、停電検出通知を制御部１１及び電源切替部１７に出力する。
【００６９】
〈２−３．回線終端装置の内部構成について〉
図６は、本発明の第二の実施形態に係る回線終端装置８の内部を示すブロック図である。回線終端装置８は少なくとも、制御部８１、メモリ８２、通信部８３、蓄電池スロット８４、電源部８５、代替電源部８６、電源切替部８７、及び停電検知部８８を含むように構成されている。なお図中の実線矢印が指示信号の流れを、破線矢印が電力の流れを示している。
【００７０】
制御部８１は、回線終端装置８の各部を制御することにより信号変換処理及び通信中継処理を統括制御するための中央処理装置である。具体的には例えば、ＦＴＴＨ方式の広域通信網５より受信した光信号を、有線ＬＡＮ３で用いられる電気信号に変換してルータ１に送信する信号変換処理等を行う。
【００７１】
メモリ８２は、回線終端装置８が保持する各種データを一時的に記憶する媒体であり、例えば書込可能なＲＡＭ（Ｒａｎｄｏｍ  Ａｃｃｅｓｓ  Ｍｅｍｏｒｙ）等により構成されている。メモリ８２は制御部８１によって各種通信処理が行われる際の処理データや、接続されている各通信網に関する網管理情報等を一時的に記憶しておくためのバッファメモリとしての役割を持つ。
【００７２】
通信部８３は、回線終端装置８を広域通信網５及び有線ＬＡＮ３に接続するための接続インタフェースである。通信部８３は通常、１００ＢＡＳＥ−ＴＸ等の通信規格に準拠したＬＡＮ端子やＦＴＴＨの通信規格に準拠した光通信端子等の、通信規格の異なる複数の通信端子を含むように構成されている。これにより回線終端装置８は、通信方式の異なる複数の通信網に接続されて相互に信号の中継を行うことが可能である。
【００７３】
蓄電池スロット８４〜停電検知部８８については、ルータ１の蓄電池スロット１４〜停電検知部１８と同内容であるため、ここでは説明を省略する。
【００７４】
〈２−４．ルータの停電検出時処理について〉
ここで、本発明の第二の実施形態におけるルータ１の停電検出時処理を、図４〜図５のブロック図と、図７のフロー図とを用いながら説明する。
【００７５】
図７に示す処理フローは、ルータ１の電源が起動した際に開始される。本処理の開始後、停電検知部１８は、電源部１５により出力されるＤＣ電圧の出力状況を確認する。そして出力されるＤＣ電圧がルータ１の動作に必要な最低動作電圧を下回るかどうかの判定を行う。下回らないと判定された場合、停電検知部１８は引き続きＤＣ電圧の出力状況の監視を行う。逆に下回ると判定された場合、停電検知部１８は停電検出通知を制御部１１及び電源切替部１７に対して出力する。
【００７６】
停電検出通知を受けた電源切替部１７はステップＳ２２０において、内部の電気回路に備えられたスイッチのＯＮ／ＯＦＦを切り替えることにより、使用する電源を電源部１５から代替電源部１６に切り替える。この結果、代替電源部１６及び携帯電話用蓄電池９２により供給される電源電圧によりルータ１が動作することとなる。
【００７７】
また停電検出通知を受けた制御部１１はステップＳ２３０において、災害情報取得部１１ａによりメモリ１２に記録されている災害情報の取得成功履歴を参照し、前回の取得成功から所定時間、例えば１０分が経過しているかどうかの判定を行う。
【００７８】
ステップＳ２３０において、前回の災害情報取得処理より所定時間が経過していないと判定された場合、後述するステップＳ２７０に移行する。逆に所定時間が経過していると判定された場合、災害情報取得部１１ａはステップＳ２４０において、情報配信サーバ６から災害情報を取得するための通信リクエストを通信部１３を用いて送信する。
【００７９】
通信部１３により送信された通信リクエストは、回線終端装置２及び広域通信網５を経由して情報配信サーバ６に送られる。次に災害情報取得部１１ａはステップＳ２５０において、送信した通信リクエストに対して情報配信サーバ６から応答があり、かつ災害情報の取得に成功したかどうかの判定を行う。
【００８０】
ステップＳ２５０において災害情報の取得に失敗したと判定された場合、災害情報取得部１１ａはステップＳ２４０に移行して再び災害情報の取得を試みる。逆に災害情報の取得に成功したと判定された場合、災害情報記録部１１ｂはステップＳ２６０において、取得した災害情報、及び災害情報をＨＴＭＬ形式に変換したＨＴＭＬデータをメモリスロット１９に接続されたＳＤメモリカード９３に記録する。また併せて、災害情報の取得成功履歴をメモリ１２に記録する。
【００８１】
次に停電検知部１８はステップＳ２７０において、電源部１５により供給されるＤＣ電圧の出力状況を確認する。そして出力されているＤＣ電圧がルータ１の動作に必要な最低動作電圧を上回るかどうかの判定を行う。
【００８２】
ステップＳ２７０において、最低動作電圧を上回らないと判定された場合、ステップＳ２４０に移行し、災害情報の取得処理を継続して行う。逆に最低動作電圧を上回ると判定された場合、停電検知部１８はステップＳ２８０において、停電復旧通知を電源切替部１７に対して出力する。
【００８３】
停電復旧通知を受けた電源切替部１７は、内部の電気回路のスイッチング処理を行うことにより、使用する電源を代替電源部１６から電源部１５に切り替えた後、本処理を終了する。この結果、商用電源９１及び電源部１５により供給される電源電圧によりルータ１が動作する状態となる。
〈２−５．回線終端装置の停電検出時処理について〉
図７に示すルータ１の停電検出時処理のステップＳ２１０〜ステップＳ２２０、及びステップＳ２７０〜ステップＳ２８０と同内容であるため、ここでは説明を省略する。
【００８４】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８５】
従って本発明は、以下の形態にも適用可能である。
（Ａ）本実施形態では、メモリスロット１９が接続する外部記録媒体としてＳＤメモリカード９３を例に挙げているが、これ以外の記録媒体を用いて本発明を実施する形態でもよい。例えばｍｉｎｉＳＤメモリカード、コンパクトフラッシュ（登録商標）、マイクロハードディスク、ＵＳＢメモリ等を用いる形態であってもよい。
【００８６】
（Ｂ）本実施形態では、本発明の代替電源部、災害情報取得部、及び災害情報記録部を備えた通信装置としてルータ１及び回線終端装置８を例にあげているが、通信網に接続可能な通信装置であれば、これ以外の通信装置において本発明を実施する形態でもよい。例えば、ブリッジ、スイッチングハブ、モデム、ＰＢＸ（Ｐｒｉｖａｔｅ  Ｂｒａｎｃｈ  ｅＸｃｈａｎｇｅ）等の通信装置において実施する形態であってもよい。
【００８７】
（Ｃ）本実施形態では、本発明の蓄電池スロット１４が接続する蓄電池として携帯電話用の蓄電池９２を例にあげているが、これ以外の蓄電池を接続可能な蓄電池スロット１４を設ける形態であってもよい。例えばデジタルカメラ、ビデオカメラ、ノートパソコン、ＰＤＡ、ミュージックプレーヤ等に用いられる蓄電池を接続可能な蓄電池スロット１４を設ける形態であっても構わない。
【００８８】
（Ｄ）本実施形態では、本発明の災害情報取得処理及び災害情報記録処理に関する各種機能部が、マイクロプロセッサ等の演算処理装置上でプログラムを実行することにより実現されているが、各種機能部が複数の回路やデジタルモジュールにより実現される形態でもよい。
（Ｅ）本実施形態では、取得した災害情報をＳＤメモリカード９３に記録しているが、ＵＳＢケーブルや赤外線通信等の接続手段を用いてルータ１に接続された携帯電話の内部メモリに記録する形態であってもよい。この場合、メモリスロット１９が不要となり、かつユーザはＳＤメモリカード９３の差し替え作業を行う必要がないという効果が得られる。
【００８９】
（Ｆ）本発明の災害情報取得処理及び災害情報記録処理に関する各種機能部が、マイクロプロセッサ等の演算処理装置上でプログラムを実行することにより実現されているが、各種機能部が複数の回路やデジタルモジュールにより実現される形態でもよい。
【図面の簡単な説明】
【００９０】
【図１】は、本発明の第一の実施形態に係る通信システムの構成を示すブロック図である。
【図２】は、本発明の第一の実施形態に係るルータの構成を示すブロック図である。
【図３】は、本発明の第一の実施形態に係る蓄電池使用時処理の処理フローを示すフロー図である。
【図４】は、本発明の第二の実施形態に係る通信システムの構成を示すブロック図である。
【図５】は、本発明の第二の実施形態に係るルータの構成を示すブロック図である。
【図６】は、本発明の第二の実施形態に係る回線終端装置の構成を示すブロック図である。
【図７】は、本発明の第二の実施形態に係るルータの停電検出時処理の処理フローを示すフロー図である。
【図８】は、本発明の電源切替部が備える回路の一例を示した回路図である。
【符号の説明】
【００９１】
１      ルータ（通信装置）
１１ａ  災害情報取得部（情報取得手段）
１１ｂ  災害情報記録部（情報記録手段）
１３    通信部（通信手段）
１４    蓄電池スロット（蓄電池接続手段）
１５    電源部
１６    代替電源部
１７    電源切替部（電源切替手段）
１８    停電検出部（停電検出手段）
１９    メモリスロット（外部記録媒体接続手段）
８      回線終端装置（通信装置）
８３    通信部（通信手段）
８４    蓄電池スロット（蓄電池接続手段）
８５    電源部
８６    代替電源部
８７    電源切替部（電源切替手段）
８８    停電検出部（停電検出手段）
９２    携帯電話用蓄電池
９３    ＳＤメモリカード（外部記録媒体）
【図１】
2008288800.tif 000003
【図２】
2008288800.tif 000004
【図３】
2008288800.tif 000005
【図４】
2008288800.tif 000006
【図５】
2008288800.tif 000007
【図６】
2008288800.tif 000008
【図７】
2008288800.tif 000009
【図８】
2008288800.tif 000010